(57)【特許請求の範囲】
【請求項１】
多数の買参人が集合して商品を競売するための競り室と、入荷した商品を一時的に保管しておくための倉庫と、各買参人に割当てられる荷捌ゾーンと、競り落とされた商品を各買参人に分配するべく該商品を前記倉庫から前記荷捌ゾーンまで搬送するための搬送装置を設けてなる卸売市場施設であって、
前記倉庫を当該施設の一端側に位置せしめて配置するとともに、前記競り室を当該施設の他端側ないし中央部において前記倉庫と対向する位置に配置する一方、前記搬送装置を前記倉庫と前記競り室との間に設けて、該搬送装置の両側に前記荷捌ゾーンをそれぞれ当該施設の両側部に位置せしめて設け、かつ、前記搬送装置は、前記倉庫より前記競り室に直線的に向かうように設けられた主ラインと、当該主ラインからその両側の荷捌ゾーンの各部に向けて商品を分配搬送するための多数の分岐ラインとを有し、
前記荷捌ゾーンは、ここに入荷した商品を台車に積載して前記倉庫に向けて搬送する作業と、競り落とされて前記搬送装置によりここまで搬送されてきた商品を出荷する作業を行うゾーンであり、
前記倉庫は、商品を搭載した台車を入出庫させる形式の立体自動倉庫であって、前記荷捌ゾーンからの台車を最下層の入庫口から入庫させ、かつその台車を入庫口とは反対側の最上層に設けた出庫口からステージ上に出庫させ、そこで前記搬送装置の始端部に商品を移載するとともに、商品を下ろした台車を前記荷捌ゾーンに戻す構成であり、
前記搬送装置における主ラインの始端部に、多数の商品の同時搬送を可能とするべくループ部を設けてなることを特徴とする卸売市場施設。
【請求項２】
請求項１記載の卸売市場施設であって、前記搬送装置における主ラインの下方空間を通路や他の搬送装置を設置するための予備スペースとして確保するべく当該主ラインを床面上の高所に設け、かつ前記分岐ラインを当該主ラインより床面まで下るようなスロープ状に設けてなることを特徴とする卸売市場施設。
【請求項３】
請求項１または２記載の卸売市場施設であって、前記倉庫、前記競り室、前記荷捌ゾーン、前記搬送装置を当該施設の中心線を挟んでその両側に対をなすように対称的に２組設け、それら各組をそれぞれ独立に稼働可能に構成してなることを特徴とする卸売市場施設。
【発明の詳細な説明】
【０００１】
【発明の属する技術分野】
本発明は卸売を行うための施設である卸売市場施設に関するものである。
【０００２】
【従来の技術】
周知のように、花卉、青果、鮮魚等の卸売市場は商品としての貨物を生産地から集荷し、これを競売りして仲買あるいは小売の買参人に売りさばくための大規模な施設である。このような卸売市場においては、多種多様な商品を短時間のうちに大量に取扱って、集荷、分類、貯蔵、売買、搬送、荷捌きする必要があり、また多数の買参人が短時間のうちに離合集散するものであり、したがってこの種の施設としては商品や人の動きを迅速にかつ流動的に処理し得る形態と機能が要求されるものである。このため、この種の施設の形態としては、商品や人が上下方向に移動しなければならない複層的なものよりも、水平方向に移動するのみで済む平面的な広がりをもつものが好ましいとされる。また、近年においては競りを効率的に行うための自動競りシステムや、商品を保管しかつ自動的に出し入れし得るような自動倉庫、商品を自動搬送するための物流システムを備えた近代的な施設が多く設けられるようになってきている。
【０００３】
【発明が解決しようとする課題】
ところで、この種の卸売市場は上記のような基本的な機能が要求されるのみならず、都市域の拡大および発展に伴って取り扱う商品の種類と量が次第に増加していくことが一般的であるので、それに対応して施設の拡張を容易に行い得るものであることも必要とされる。このため、この種の施設を計画するに当たっては将来の拡張を容易に行い得る形態を実現するべく有効な方策が種々模索されていた。
【０００４】
【課題を解決するための手段】
上記事情に鑑み、本発明の卸売市場施設は、多数の買参人が集合して商品を競売するための競り室と、入荷した商品を一時的に保管しておくための倉庫と、各買参人に割当てられる荷捌ゾーンと、競り落とされた商品を各買参人に分配するべく該商品を前記倉庫から前記荷捌ゾーンまで搬送するための搬送装置を設けてなる卸売市場施設であって、前記倉庫を当該施設の一端側に位置せしめて配置するとともに、前記競り室を当該施設の他端側ないし中央部において前記倉庫と対向する位置に配置する一方、前記搬送装置を前記倉庫と前記競り室との間に設けて、該搬送装置の両側に前記荷捌ゾーンをそれぞれ当該施設の両側部に位置せしめて設け、かつ、前記搬送装置は、前記倉庫より前記競り室に直線的に向かうように設けられた主ラインと、当該主ラインからその両側の荷捌ゾーンの各部に向けて商品を分配搬送するための多数の分岐ラインとを有し、前記荷捌ゾーンは、ここに入荷した商品を台車に積載して前記倉庫に向けて搬送する作業と、競り落とされて前記搬送装置によりここまで搬送されてきた商品を出荷する作業を行うゾーンであり、前記倉庫は、商品を搭載した台車を入出庫させる形式の立体自動倉庫であって、前記荷捌ゾーンからの台車を最下層の入庫口から入庫させ、かつその台車を入庫口とは反対側の最上層に設けた出庫口からステージ上に出庫させ、そこで前記搬送装置の始端部に商品を移載するとともに、商品を下ろした台車を前記荷捌ゾーンに戻す構成であり、前記搬送装置における主ラインの始端部に、多数の商品の同時搬送を可能とするべくループ部を設けたことを特徴とする。
【０００５】
本発明においては、前記搬送装置における主ラインの下方空間を通路や他の搬送装置を設置するための予備スペースとして確保するべく当該主ラインを床面上の高所に設け、かつ前記分岐ラインを当該主ラインより床面まで下るようなスロープ状に設けることが好適である。また、前記倉庫、前記競り室、前記荷捌ゾーン、前記搬送装置を当該施設の中心線を挟んでその両側に対をなすように対称的に２組設け、それら各組をそれぞれ独立に稼働可能に構成することが好適である。
【０００６】
【発明の実施の形態】
以下、本発明を、主に切花を取扱う花卉卸売市場に適用した場合の好適な一実施形態を図１ないし図３を参照して説明する。図１は本実施形態の花卉卸売市場施設１の全体を概略的に示す平面図、図２および図３はそれぞれ立断面図である。
【０００７】
図１に示されるように本例の施設１は平面形状が矩形をなしており、その全体が中心線ＣＬを挟んで左右対称をなすように構成されている。この施設１の一端側（図１において上部側）には商品を一時的に保管するための保管ゾーン２が設けられており、そこには商品を保管しかつ自動的に入出庫させ得る倉庫３，３が対称的に配置されている。本例における倉庫３は、図２に示すように、商品（本例においては切花を収めた段ボール箱）を積載した台車４をそのまま入庫させかつ出庫させる形式の４連５層の立体ラック式の台車自動倉庫であり、入庫口は最下層に設けられているとともに出庫口は入庫口とは反対側の最上層に設けられていて、この施設１の床面レベルから入庫させた台車４を、双方の倉庫３，３の間の高所に架設されたステージ５上に出庫させる構成のものとされている。なお、倉庫３に対する台車４の入出庫管理は、予め組込まれた制御システムによって制御されることにより自動的かつ最も効率的に行われるものである。その制御システムとしては従来よりこの種の自動ラック倉庫等において採用されている公知の在庫管理システム等をそのまま採用し得る。
【０００８】
一方、本施設１の他端側（図１における下部側）には、多数の買参人が集って周知の自動競りシステムを用いて競りを行うための競り室６，６が配置され、それらの競り室６，６と倉庫３，３との間には商品を搬送するための搬送装置７，７が設けられ、それら搬送装置７，７の両側に荷捌ゾーン８，８がこの施設１の両側部に位置して設けられ、それら荷捌ゾーン８，８の各部は多数の買参人に対して予め割当てられるようになっている。なお、図１における符号９はたとえば仲卸業者売場等の付帯施設を適宜設けることのできるスペースである。
【０００９】
本例における搬送装置７としてはベルトコンベアが用いられ、その搬送装置７は、上記の倉庫３，３の間に架設されたステージ５上を始端としてこの施設の中心線ＣＬに沿う位置に設けられた主ライン７ａと、主ライン７ａから荷捌ゾーン８に向かう多数の分岐ライン７ｂを有して構成されている。また、図２に示すように主ライン７ａの始端部はステージ５上から漸次降下するループ部７ｃとされており、ループ部７ｃに連なる主ライン７ａは図３に示すように床面上の高所たとえば３．６ｍ程度の位置でほぼ水平に設けられ、そこから各分岐ライン７ｂがスロープ状に下がって床面に達するように設けられており、これにより主ライン７ａの下方には通路や他の搬送装置（たとえば鉢物等の他の商品を搬送するためのもの等）を設置することのできる予備スペース１０としての空間が確保されている。また、本例では各主ライン７ａ，７ａと各競り室６，６とを結ぶ返送ライン７ｄも設けられており、競り室６において競り用に用いられたサンプル商品をその返送ライン７ｄ、主ライン７ａ、分岐ライン７ｂを通して所定の買参人に割当てられている荷捌ゾーン８まで搬送し得るものとされている。なお、搬送装置７は予め組込まれた制御システムにより制御されて稼働するものであり、その制御システムはこの種の搬送装置において採用されているような公知の自動物流システムをそのまま採用し得る。
【００１０】
以上のように構成された本例の施設１においては、商品は概ね次のように移動する。
【００１１】
本施設１においては、商品（本例の場合には切花を収納した段ボール箱の単位で取扱われる）は荷捌ゾーン８に入荷し、その荷捌ゾーン８において管理用標識（たとえばバーコードラベル）が貼付された後、所定個数が台車４に搭載され、台車４ごと倉庫３に入庫する。また、商品の一部は競り用のサンプルとして競り室６に運ばれる。さらに、各買参人のそれぞれには予め所定の荷捌ゾーン８が割当てられ、その情報は搬送装置７の制御システムに入力される。
【００１２】
競り室６において競売がなされたら、その情報（つまり、誰が、何を、いくつ、競り落としたか）は倉庫３および搬送装置７の制御システムに転送され、その情報に基づき、競り落とされた商品はそれを競り落とした買参人に割当てられている荷捌ゾーン８に向けて自動搬送される。すなわち、競り情報に基づきその商品を搭載している台車４が倉庫３から出庫し、ステージ５上において商品が台車４から搬送装置７に移載されると、搬送装置７は商品に貼付されている管理用標識を読み取ってその搬送先を検知し、主ライン７ａから所望の分岐ライン７ｂを通してせり落とした買参人に割当てられている荷捌ゾーン８まで搬送する。競りを終えた買参人は競り室６から自己に割当てられている荷捌ゾーン８に移動してそこで待機し、搬送されてきた商品を受け取って出荷する。
【００１３】
なお、競り室６において競り用に用いられたサンプル商品も返送ライン７ｄを通して所定の買参人に割当てられている荷捌ゾーン８まで搬送される。また、ステージ５上において商品が降ろされた台車４は、荷捌ゾーン８に戻すために図示しないエレベータによりステージ５上から床面に降ろされ、荷捌ゾーン８へ送られて新たな商品が積載される。
【００１４】
以上のように構成された本実施形態の施設１では、商品の入荷と出荷を荷捌ゾーン８で行い、商品の保管および搬送を倉庫３および搬送装置７により行うから、施設１内における商品の入荷と出荷、保管と搬送とを自動的かつ十分に効率的に行い得ることはもとより、搬送装置７の動線はきわめてシンプルであり、かつ搬送装置７により倉庫３から荷捌ゾーン８まで搬送される商品の動線と、競り室６から荷捌ゾーン８まで移動する人の動線とが交錯することもなく、この種の施設の平面計画としてきわめて合理的なものである。
【００１５】
特に、倉庫３を設ける保管ゾーン２を本施設１の一端側に配置し、それと競り室６とを直線的に結ぶ搬送装置７の両側にそれぞれ荷捌ゾーン８，８をこの施設１の両側部に位置せしめて配置したことにより、それら保管ゾーン２および荷捌ゾーン８，８をそれぞれ図１に鎖線および矢印で示すごとく施設１の外周側に自由に拡張することが可能であり、使用勝手を全く損うことなく将来の増築に容易に対応し得るものである。なお、そのような拡張を行った場合には、図３に示すように分岐ライン７ｂを延長することで荷捌量の増大に支障なく対処し得る。
【００１６】
また、上記実施形態では、搬送装置７の主ライン７ａの始端部にループ部７ｃを設けているので、搬送装置７の総延長は十分に長いものとなって一度に多数の商品の搬送可能なものであるし、主ライン７ａを高所に設けてその下方空間を予備スペース１０として確保しているので、これらの点においても将来的な拡張に対して有利である。
【００１７】
さらに、本例では施設１全体を中心線ＣＬを挟んで左右対称をなすように構成し、倉庫３、競り室６、荷捌ゾーン８、搬送装置７の主ライン７ａおよび分岐ライン７ｂを、それぞれ中心線ＣＬの両側に対称的に２組設けたが、必要に応じてそれらを片側の組だけで独立に稼働させることが可能なように構成しておくことが好ましく、そのようにすればこの施設１を運用する上での自由度を高めることができる。すなわち、通常時においてはそれらの全体を一括して運用するとともに、たとえば従来一般的な花卉卸売市場のように２社の卸売業者がこの施設を取り仕切るような場合にあっては運用上はこの施設を中心線ＣＬにおいて２分割し、それぞれの組の施設を２社の卸売業者が同時に独立して運用することが可能である。また、異種の商品を独立に取扱うことを目的として各組の施設を独立に運用したり、あるいは取扱い量が少ない時期においては一方の組の施設のみを稼働させることが可能である。なお、上記のように倉庫３、競り室６、荷捌ゾーン８、搬送装置７の全てをそれぞれ２組設けることに代えて、競り室６と荷捌ゾーン８のみを２組設けることとして倉庫３と搬送装置７は１組のみ設け、それを両方で兼用することでもほぼ同様の運用を行い得る。
【００１８】
なお、上記実施形態は本発明を花卉卸売市場に適用したものであるが、本発明はそれに限定されることなく、たとえば青果や鮮魚その他の商品を取扱う卸売市場としても同様に適用可能である。
【００１９】
また、上記実施形態では、取扱う商品が切花を収めた段ボール箱の形態であることから、倉庫３は段ボール箱を搭載した台車４ごと収納する形式のものとし、また搬送装置７は段ボール箱を搬送するベルトコンベア式のものとしたが、倉庫は商品を台車ごと入出庫させる形式のものであれば良く、また搬送装置は始端部にループ部を有するものであれば良く、その限りにおいて倉庫や搬送装置の形式は、取扱う商品の種類や大きさ、形態、重量等を考慮して最適なものを選択すれば良い。
【００２０】
【発明の効果】
以上、説明したように、本発明の卸売市場施設は、当該施設の一端側に倉庫を配置するとともに両側部に荷捌ゾーンを配置し、商品の入荷と出荷を荷捌ゾーンで行い、商品を倉庫から荷捌ゾーンへ搬送装置により搬送する形態のものとしたから、施設内における商品の保管と搬送とを効率的かつ自動的に行うことが可能であることはもとより、商品と人の動線が交錯することを回避でき、しかも倉庫および荷捌ゾーンの施設外周側への拡張を支障なく容易に行うことが可能であり、この種の施設の平面計画としてきわめて有効である。特に、倉庫として立体自動倉庫を採用したので大量の商品の保管と自動入出庫管理を行うことができ、搬送装置の主ラインにループ部を設けたので一度に大量の搬送が可能である。また、その主ラインを高所に設ければその下方空間を利用可能であるという利点があり、さらに、倉庫、競り室、荷捌ゾーン、搬送装置をこの施設の中心線を挟んで対称的に２組設けてそれぞれを独立に稼働可能とすれば運用上の自由度に優れたものとなる利点がある。
【図面の簡単な説明】
【図１】  本発明の卸売市場施設を花卉卸売市場に適用する場合に好適な一実施形態を示す全体概略平面図である。
【図２】  図１におけるII−II線視断面図である。
【図３】  図１におけるIII−III線視断面図である。
【符号の説明】
１  卸売市場施設
２  保管ゾーン
３  倉庫
４  台車
６  競り室
７  搬送装置
７ａ  主ライン
７ｂ  分岐ライン
７ｃ  ループ部
７ｄ  返送ライン
８  荷捌ゾーン
ＣＬ  中心線
【図１】
0003671315.tif 000002
【図２】
0003671315.tif 000003
【図３】
0003671315.tif 000004